(57)【要約】【課題】抵抗素子を実装した回路基板を用いずに識別端子を構成することでコスト低下を図った電池パックを提供する。【解決手段】電池２の一端部に極性の異なる一対の接続電極５、３を配設し、一対の接続電極５、３にそれぞれ外部接続端子８、９を接続し、何れか一方の外部接続端子９の表面の一部に抵抗皮膜コーティング２１を施して抵抗値の異なる層が設けられ、識別端子部２０を構成した。【選択図】        図２
2004319406.tif 000002
【特許請求の範囲】
【請求項１】
電池の何れか一方の極性の接続電極に接続された外部接続端子の表面に抵抗値の異なる層が設けられ識別端子部を構成した電池パック。
【請求項２】
電池の一端部に極性の異なる一対の接続電極を配設し、一対の接続電極にそれぞれ外部接続端子を接続し、何れか一方の外部接続端子の表面の一部に抵抗皮膜コーティングを施して識別端子部を構成した請求項１記載の電池パック。
【請求項３】
一対の接続電極は、電池ケースと電池ケースの一端開口の封口部材に設けられた接続電極からなる請求項２記載の電池パック。
【請求項４】
一対の外部接続端子と識別端子部を各々露出させる窓部を有するとともに、少なくとも電池の一端部及び外部接続端子を覆う絶縁性のカバーを有する請求項２又は３記載の電池パック。
【発明の詳細な説明】
【０００１】
【発明の属する技術分野】
本発明は電池パックに関し、特に電池の種類や特性を抵抗によって識別する識別端子部を設けた電池パックに関するものである。
【０００２】
【従来の技術】
近年、携帯電子機器の小型化、薄型化、並びに高機能化の進展が著しく、それに伴ってその電源となる電池も小型、薄型で高容量化が要求されている。小型で高容量を可能にする電池としてリチウム系電池が有効であり、中でも扁平な角形のリチウムイオン二次電池は機器の薄型化に好適であり、繰り返し使用できる電池として携帯電話などの携帯電子機器への適用が増加している。
【０００３】
ところで、各種機器の電源用の電池パックとして、電池と、過大電流の制限手段や過充放電に対する保護回路及び外部接続端子などを設けた回路基板とを、外部接続端子を露出させる窓部を有する外装ケース内に収納配置し、回路基板と電池の接続電極をリードで接続してなるものが知られている（例えば、特許文献１参照。）。
【０００４】
また、電池と、外部接続端子を設けた端子基板と、電子部品を、外装ケース内に収納配置し、端子基板の外部接続端子に電池及び電子部品を接続してなる電池パックも知られている（例えば、特許文献２参照。）。
【０００５】
また、電池の種類や特性などを識別できるように、外部接続端子の１つとして、電池の一方の接続電極や一方の外部接続端子に抵抗素子を介して接続してなる識別端子を設け、この識別端子から電池の種類などを識別して充電方式を切り換えるようにしたものも知られている（例えば、特許文献３参照。）。
【０００６】
このように回路基板や端子基板を外装ケースに保持させた電池パックの構成例を図３を参照して説明する。３１は扁平な角形の電池パックで、リチウムイオン二次電池からなる電池３２と、回路基板３３又は端子基板を、厚さ方向に２分割された外装ケース３４内に収納配置し、回路基板３３と電池３２の接続端子３５ａ、３５ｂをリード３６にて接続して構成されている。また、回路基板３３には、正極端子３３ａ、負極端子３３ｂ及び識別端子３３ｃなどの外部接続端子が設けられ、かつ保護回路などとともに識別端子３３ｃに接続される抵抗素子（図示せず）が実装されている。
【０００７】
電池３２は、電池ケース３７内に発電要素３８が収納されるとともに電池ケース３７の一端開口が一方の極性の接続端子３５ａを突設した封口部材３９にて絶縁ガスケット４０を介して封口され、電池ケース３７が他方の極性の接続端子３５ｂを構成している。また、外装ケース３４の一端壁４１には回路基板３３に設けられた外部接続端子を露出させる窓部４２が形成され、かつ回路基板３３を一端壁４１の内面に当接させた状態で保持する係合突部４４が設けられている。
【０００８】
【特許文献１】
特開２００２−２３１２０１号公報
【０００９】
【特許文献２】
特開平６−３３３５４７号公報
【００１０】
【特許文献３】
特開２０００−１８２６７７号公報
【００１１】
【発明が解決しようとする課題】
ところで、図３に示すような電池パック３１では、識別端子３３ｃを設けるために、回路基板３３に抵抗素子（図示せず）を実装する必要があり、さらにこの回路基板３３を外装ケース３４に位置決めした状態で保持させて固定する必要があるため、構成が複雑になってコスト高になるという問題があった。
【００１２】
本発明は、上記従来の問題点に鑑み、抵抗素子を実装した回路基板を用いずに識別端子部を構成することでコスト低下を図った電池パックを提供することを目的とする。
【００１３】
【課題を解決するための手段】
本発明の電池パックは、電池の何れか一方の極性の接続電極に接続された外部接続端子の表面に抵抗値の異なる層が設けられ識別端子部を構成したものであり、外部接続端子を有する端子基板に抵抗素子を実装することなく、識別端子部を構成できるので、コスト低下を図ることができる。
【００１４】
また、電池の一端部に極性の異なる一対の接続電極を配設し、一対の接続電極にそれぞれ外部接続端子を接続し、何れか一方の外部接続端子の表面の一部に抵抗皮膜コーティングを施して識別端子部を構成すると、一方の外部接続端子を共用してその表面の一部に抵抗皮膜コーティングを施して抵抗値の異なる層が設けられ、識別端子部を構成しているので、一層のコスト低下を図ることができる。
【００１５】
また、一対の接続電極は、電池ケースと電池ケースの一端開口の封口部材に設けられた接続電極からなると、電池ケースを接続電極とすることで電池構成を簡単にできて好適である。
【００１６】
また、一対の外部接続端子と識別端子部を各々露出させる窓部を有するとともに、少なくとも電池の一端部及び外部接続端子を覆う絶縁性のカバーを有すると、外部接続端子及び識別端子部を露出させる窓部を有するカバーにて電池ケースの一端部及び外部接続端子を覆った構成であるため、電池パックの構成が簡単になってさらにコスト低下を図ることができる。
【００１７】
【発明の実施の形態】
以下、本発明の一実施形態の電池パックについて、図１、図２を参照して説明する。
【００１８】
図１において、１は扁平な角形の電池パックで、リチウムイオン二次電池からなる電池２を備えている。電池２は、電池ケース３内に、正極板と負極板をセパレータを介して積層した極板群と電解液からなる発電要素４を収納して構成されており、電池ケース３の一端開口が一方の極性の接続電極５を突設した封口部材６にて絶縁ガスケット７を介して封口され、電池ケース３が他方の極性の接続電極を構成している。
【００１９】
電池２における接続電極５の側面には略Ｔ字状に成形された第１の外部接続端子８が、電池ケース３の一端部側面には略Ｌ字状に成形された第２の外部接続端子９が、それぞれ抵抗溶接による溶接部１０にて接続されている。本実施形態では、第１の外部接続端子８が正極端子、第２の外部接続端子９が負極端子とされている。これら第１と第２の外部接続端子８、９の接続時には、電池２の一端面と平行な金メッキが施されている端子面８ａ、９ａと電池ケース３の他端面３ａとの間の寸法を、所定の寸法ｈに規制した状態で、接続脚部８ｂ、９ｂを各々接続電極５の側面と電池ケース３の一端部側面に当接させて抵抗溶接接続されている。なお、抵抗溶接に代えてレーザビーム溶接や電子ビーム溶接などを適用しても良い。
【００２０】
これら電池ケース３の一端部と外部接続端子８、９は、合成樹脂成形品からなる絶縁性のカバー１１にて覆われている。このカバー１１は、電池ケース３の横断面形状と略同一の横断面形状でかつ一端面が端壁１１ａにて閉鎖された縦断面形状コ字状で、その端壁１１ａの内面を外部接続端子８、９の端子面８ａ、９ａに係合させて位置決めした状態で電池ケース３の一端部に装着されている。カバー１１の両側には電池ケース３の長側面に重なって外部接続端子９の接続脚部９ｂを覆う延出部１４が設けられている。また、カバー１１の延出部１４を含む下部と電池ケース３の外周面がフィルム状外装材１５にて被覆されている。
【００２１】
第２の外部接続端子９は、図２（ａ）に示すように、これら外部接続端子８、９の並設方向の幅寸法が、第１の外部接続端子８の略２倍程度に形成され、かつその金メッキが施されている端子面９ａの第１の外部接続端子８に近い側の一半部の表面上に、抵抗値の異なる層が設けられ識別端子部２０が構成されている。この識別端子部２０を構成するには、カーボンブラック、黒鉛等の導電剤、エポキシ樹脂、フェノール樹脂等の樹脂、シリカ、マイカ、タルク等の無機充填剤、必要に応じて硬化剤を溶剤に混練分散させたペーストを金メッキが施されている端子面９ａの第１の外部接続端子８に近い側の一半部の表面上に印刷により構成し、焼き付けることにより、金メッキが施されている端子面９ａよりも抵抗値が高い１０ｋΩ〜２００ｋΩとなるように抵抗皮膜コーティング２１を容易に作製することができる。そして、図２（ｂ）に示すように、カバー１１の端壁１１ａには、正極端子としての第１の外部接続端子８の端子面８ａを露出させる窓部２２と、負極端子としての第２の外部接続端子９の端子面９ａを露出させる窓部２３と、これら窓部２２、２３の間で識別端子部２０を露出させる窓部２４とが開口されている。
【００２２】
なお、図２（ｂ）において、１６は、電池ケース３の長側面上に突出している第２の外部接続端子９の接続脚部９ｂを収納するように、カバー１１の延出部１４に形成された開口である。この開口１６に代えて、図１（ｃ）に示すように、凹部を形成しても良い。
【００２３】
以上の構成の電池パック１によれば、第２の外部接続端子９の表面に施した抵抗皮膜コーティング２１にて識別端子部２０を構成しているので、従来のように識別端子部２０を構成するために回路基板や端子基板に抵抗素子を実装する必要がなく、構成を簡単にできてコスト低下を図ることができる。
【００２４】
また、電池２の一端部の封口部材６に設けた接続電極５と電池ケース３の一端部にそれぞれ第１と第２の外部接続端子８、９を接続し、第２の外部接続端子９の端子面９ａの一部に抵抗皮膜コーティング２１を施して抵抗値の異なる層が設けられ識別端子部２０を構成しているため、電池ケース３の一端部を一方の接続電極とした簡単な電池構成の電池２を用いかつ第２の外部接続端子９を共用してその表面の一部に識別端子部２０を構成していることで一層のコスト低下を図ることができる。
【００２５】
また、一対の外部接続端子８、９及び識別端子部２０を露出させる窓部２２、２３、２４を有するカバー１１にて電池ケース３の一端部及び外部接続端子８、９を覆い、このカバー１１の一部と電池ケース３の外周面をフィルム状外装材１５で覆って電池パック１を構成しているので、従来の外装ケースを用いた構成に比して簡単でかつ少ない部品からなるとともに生産性良く製作でき、電池パック１のコスト低下をさらに図ることができる。
【００２６】
また、第１と第２の外部接続端子８、９を、電池ケース３の他端とこれら外部接続端子８、９の端子面８ａ、９ａとの間の寸法ｈを規制した状態で電池ケース３の一端部の接続電極５、３にそれぞれ接続し、かつこの電池ケース３の一端部及び外部接続端子８、９を覆うカバー１１をこれら外部接続端子８、９の端子面８ａ、９ａで係合位置決めした状態で電池ケース３に装着しているので、図１（ｂ）に示すように、カバー１１の端壁１１ａの厚さをｔとすると、電池パック１の総高さ寸法Ｈは、端子面８ａ、９ａと電池ケース３の他端面３ａとの間の寸法ｈと、この厚さ寸法ｔの和で与えられる。かくして、寸法ｔは小さいのでその誤差は小さく規制できるため、寸法ｈを上記のように規制することで、総高さ寸法Ｈを精度よく規制することができる。かくして、この電池パック１を携帯電子機器にセットした時に、外部接続端子８、９の接続状態について高い信頼性を得ることができる。
【００２７】
【発明の効果】
本発明の電池パックによれば、電池の何れか一方の極性の接続電極に接続された外部接続端子の表面に抵抗皮膜コーティングを施して抵抗値の異なる層が設けられ、識別端子部を構成したものであり、外部接続端子を有する端子基板に抵抗素子を実装することなく、識別端子部を構成できるので、コスト低下を図ることができる。
【図面の簡単な説明】
【図１】本発明の一実施形態の電池パックを示し、（ａ）は斜視図、（ｂ）は（ａ）のＡ−Ａ矢視拡大断面図、（ｃ）は（ａ）のＢ−Ｂ矢視拡大断面図である。
【図２】同実施形態の要部構成を示し、（ａ）は識別端子部を設けた外部接続端子を示す斜視図、（ｂ）はカバーで覆った状態の斜視図である。
【図３】従来例の電池パックを示し、（ａ）は斜視図、（ｂ）は（ａ）のＣ−Ｃ矢視拡大断面図である。
【符号の説明】
１  電池パック
３  電池ケース（接続電極）
５  接続電極
８  第１の外部接続端子
９  第２の外部接続端子
１１  カバー
２０  識別端子部
２１  抵抗皮膜コーティング
２２  窓部
２３  窓部
２４  窓部
【図１】
2004319406.tif 000003
【図２】
2004319406.tif 000004
【図３】
2004319406.tif 000005